(57)【要約】      （修正有）【課題】磁気吸引アセンブリを備えた静電容量式スタイラスペンを提供する。【解決手段】静電容量式スタイラスペンは、軸方向に第１組み立て部を有するペン本体１００と、軸方向に沿って重ねるように継ぎ合わせて第１組み立て部に取り付けられる、異性吸着する少なくとも二つの磁気吸引部材５１を含む第１磁気吸引アセンブリ５と、軸方向に沿ってペン本体１００に着脱自在に取り付けられるペンキャップ７００と、第１磁気吸引アセンブリ５に対応してペンキャップ７００に設けられる被磁気吸引構造８と、を備える。被磁気吸引構造８が第１磁気吸引アセンブリ５に磁性吸着することによって、ペンキャップ７００がペン本体１００に吸着固定される。これにより、より強い磁気吸引力を発生し、蓋体を安定して吸着し、抜けにくくする。【選択図】図２
0003214048.tif 000002
【実用新案登録請求の範囲】
【請求項１】
軸方向に第１組み立て部を有するペン本体と、
前記軸方向に沿って重ねるように継ぎ合わせて前記第１組み立て部に取り付けられる、異性吸着する少なくとも二つの磁気吸引部材を含む第１磁気吸引アセンブリと、
前記軸方向に沿って前記ペン本体に着脱自在に取り付けられるペンキャップと、
前記第１磁気吸引アセンブリに対応して前記ペンキャップに設けられる被磁気吸引構造とを備え、
前記被磁気吸引構造が前記第１磁気吸引アセンブリに磁性吸着することにより、前記ペンキャップが前記ペン本体に吸着固定される、磁気吸引アセンブリを備える静電容量式スタイラスペン。
【請求項２】
前記ペン本体は、胴軸と、前記胴軸の一端に連接された首軸とを含み、
前記首軸は、ヘッド部と、前記ヘッド部から前記軸方向に沿って突き出す第１組み立て部とを含み、
前記磁気吸引部材のそれぞれが、前記軸方向に沿って、前記第１組み立て部に装着される囲繞形状の磁石であることを特徴とする、請求項１記載の磁気吸引アセンブリを備える静電容量式スタイラスペン。
【請求項３】
前記胴軸の一端には前記軸方向に沿って第１遮蔽部が延設されており、前記第１遮蔽部によって、少なくとも前記第１磁気吸引アセンブリが遮蔽されることを特徴とする、請求項２記載の磁気吸引アセンブリを備える静電容量式スタイラスペン。
【請求項４】
前記第１遮蔽部と前記第１磁気吸引アセンブリとの間、または前記第１遮蔽部と前記第１磁気吸引アセンブリ及び前記ヘッド部の一部との間に第１仕切り空間が形成されており、
前記被磁気吸引構造が、選択的に、前記第１仕切り空間に伸入されて、少なくとも一つの前記磁気吸引部材に吸着されることを特徴とする、請求項３記載の磁気吸引アセンブリを備える静電容量式スタイラスペン。
【請求項５】
第２磁気吸引アセンブリをさらに含み、
前記第２磁気吸引アセンブリは互いに異性吸着する少なくとも二つの磁気吸引部材を含み、
前記ペン本体は、前記胴軸と、前記胴軸の一端につなげる首軸とを含み、
前記首軸に前記第１組み立て部を有し、
前記胴軸の他端に第２組み立て部を有し、
前記第２磁気吸引アセンブリの少なくとも二つの磁気吸引部材を前記第２組み立て部に設け、
前記被磁気吸引構造が、選択的に、前記第１磁気吸引アセンブリまたは前記第２磁気吸引アセンブリに磁気吸着することによって、前記ペンキャップが、選択的に、前記胴軸の一端または他端において前記ペン本体に吸着固定されることを特徴とする、請求項１記載の磁気吸引アセンブリを備える静電容量式スタイラスペン。
【請求項６】
前記第２組み立て部は、前記胴軸の他端から前記軸方向に沿って延在しており、
前記第２磁気吸引アセンブリの前記磁気吸引部材のそれぞれが、前記軸方向に沿って、前記第２組み立て部を囲う形状の磁石として装着され、
前記胴軸の他端には、前記軸方向に沿って、第２遮蔽部が延設されており、前記第２遮蔽部によって、少なくとも前記第２磁気吸引アセンブリが遮蔽されることを特徴とする、請求項５記載の磁気吸引アセンブリを備える静電容量式スタイラスペン。
【請求項７】
前記第２組み立て部にはソケット体がさらに装着されており、
前記ソケット体の径方向には第３遮蔽部が延在しており、
前記第２磁気吸引アセンブリの前記磁気吸引部材がそれぞれ前記軸方向に沿って前記ソケット体に装着され、
前記第３遮蔽部によって、前記第２磁気吸引アセンブリの前記磁気吸引部材のいずれかの一面を遮蔽し、
前記第２遮蔽部によって、少なくとも前記第２磁気吸引アセンブリの外縁部が遮蔽されることを特徴とする、請求項６記載の磁気吸引アセンブリを備える静電容量式スタイラスペン。
【請求項８】
前記第２遮蔽部と前記第２磁気吸引アセンブリとの間、または前記第２遮蔽部と前記第２磁気吸引アセンブリ及び前記第３遮蔽部との間に第２仕切り空間が形成されており、
前記被磁気吸引構造が、選択的に、前記第２仕切り空間に伸入されて、少なくとも一つの前記磁気吸引部材によって吸着されることを特徴とする、請求項７記載の磁気吸引アセンブリを備える静電容量式スタイラスペン。
【請求項９】
前記ペンキャップの外縁部が前記胴軸の一端及び他端の外縁部と面一になるように構成されていることを特徴とする、請求項５記載の磁気吸引アセンブリを備える静電容量式スタイラスペン。
【請求項１０】
前記ペンキャップがキャップ口を有し、
前記ペンキャップには、前記キャップ口の内周縁部に対応する凹部が開設されており、
前記被磁気吸引構造が、前記軸方向に沿って、前記凹部内に設けられた囲繞形状の金属部材として取り付けられ、前記囲繞形状の金属部材が前記キャップ口より突出していることを特徴とする、請求項１記載の磁気吸引アセンブリを備える静電容量式スタイラスペン。
【考案の詳細な説明】
【技術分野】
【０００１】
本考案はスタイラスペンに関し、特に磁気吸引アセンブリを備える静電容量式スタイラスペンに関する。
【背景技術】
【０００２】
スタイラスペンは主に各種のタッチパネル機能を有する電子製品に適用され、スタイラスペンを電子製品にタッチすることにより文字の書き込みや絵を描くなどの操作ができるものである。
【０００３】
静電容量式スタイラスペン（または、静電容量式アクティブスタイラスペン）を例にとると、ペン先を保護するために、スタイラスペンにはペンキャップが装着されている。
【考案の概要】
【考案が解決しようとする課題】
【０００４】
しかし、公知のペンキャップには、スタイラスペンに吸着する磁石が取り付けられているにもかかわらず、取り付けられた磁石の磁気吸引力の不足により、ペンキャップが抜け落ちて紛失するという欠点が非難されている。
【０００５】
このような欠点を改善することが、本考案が解決しようとする課題である。
【課題を解決するための手段】
【０００６】
本考案は、重ねるように継ぎ合わせた、異性吸着する少なくとも二つの磁気吸引部材によって、より強い吸着力を発生させ、キャップ体を安定して吸着させることにより抜け落ちにくくする効果を実現する、磁気吸引アセンブリを備えた静電容量式スタイラスペンを提供することを目的とする。
【０００７】
前述の目的を達成するために、本考案は、軸方向に第１組み立て部を有するペン本体と、軸方向に沿って重ねるように継ぎ合わせて前記第１組み立て部に取り付けられる、異性吸着する少なくとも二つの磁気吸引部材を含む第１磁気吸引アセンブリと、軸方向に沿って前記ペン本体に着脱自在に取り付けられるペンキャップと、前記第１磁気吸引アセンブリに対応して前記ペンキャップに設けられる被磁気吸引構造とを備え、前記被磁気吸引構造が前記第１磁気吸引アセンブリに磁性吸着することにより、前記ペンキャップが前記ペン本体に吸着固定される、静電容量式スタイラスペンを提供する。
【考案の効果】
【０００８】
本考案の静電容量式スタイラスペンは、公知技術に比べて、より強い磁気吸引力を発生し、キャップを安定して本体に吸着させることにより抜けにくくする効果を有する。
【図面の簡単な説明】
【０００９】
【図１】本考案に係るスタイラスペンの第１の吸着固定態様を示す立体図である。
【図２】図１のスタイラスペンの断面図である。
【図３】本考案に係るスタイラスペンの第１の吸着固定態様を示す立体分解図である。
【図４】図３のスタイラスペンの局所断面図である。
【図５】図４のスタイラスペンを組み立てた後の断面図である。
【図６】本考案に係るスタイラスペンの第２の吸着固定態様を示す立体分解図である。
【図７】図６のスタイラスペンの局所断面図である。
【図８】図７のスタイラスペンを組み立てた後の断面図である。
【考案を実施するための形態】
【００１０】
本考案の詳しい技術内容を添付図面を参照しながら説明する。ただし、添付図面は参考にし、説明に用いられるものに過ぎず、本考案の内容を拘束するものではない。
【実施例】
【００１１】
本考案は、図１に示すとおり、主にペン本体１００と、ペン本体１００のいずれかの一端に着脱自在に取り付けられるペンキャップ７００とを備える、磁気吸引アセンブリを備えた静電容量式スタイラスペンを提供する。
【００１２】
図１ないし図５に示すとおり、本考案のスタイラスペンは、第１の吸着固定態様（すなわち、保護状態）として、ペンキャップ７００をペン本体１００の下端部に継ぎ合わせ、ペン先セクションを覆うように保護する。
【００１３】
ペン本体１００には軸方向Ｄが定義されており、胴軸１と、首軸２とを含む。胴軸１は、互いに対向する第１端１０ａ（図４に示す）と、第２端１０ｂ（図７に示す）とを有し、首軸２が軸方向Ｄに沿って、胴軸１の第１端１０ａに接続されている。
【００１４】
首軸２は、ヘッド部２１と、ヘッド部２１の軸方向Ｄに沿って突き出す第１組み立て部２２とを含み、挿嵌部２３をさらに含むことが好ましい。挿嵌部２３は第１組み立て部２２の軸方向Ｄに沿って突き出していて、かつ、挿嵌部２３が軸方向Ｄに沿って胴軸１の第１端１０ａに挿嵌されている。首軸２の内部にはペン芯３が通されており、ペン芯３がヘッド部２１より突き出してタッチ端３１のペン先セクション（符号なし）を形成する。球状のタッチ端３１が可動式にディスク３２につながれることにより、タッチ端３１と、ディスク３２との間がユニバーサルジョイントのように互いに回動できるようになっている。
【００１５】
第１磁気吸引アセンブリ５は少なくとも２つの磁気吸引部材５１を含む。これらの磁気吸引部材５１は第１組み立て部２２に設けられている。磁気吸引部材５１の数量は二つまたはそれ以上であってよい。本実施例においては二つの磁気吸引部材５１が例示されている。
【００１６】
この二つは、例えば、磁石からなる磁気吸引部材５１を軸方向Ｄに沿って、互いに重ね合わせるように継ぎ合わせて異性吸着する。つまりＮ極とＳ極とが互いに磁気吸引し、もって、より強い磁気吸引力を発生することにより、キャップ体７００を安定して固定しておくことができ、抜けにくい。磁気吸引部材５１は、軸方向Ｄに沿って、第１組み立て部２２を囲うような囲繞形状の磁石として嵌め込まれることが好ましい。
【００１７】
ペンキャップ７００は、軸方向Ｄに沿って、着脱自在にペン本体１００のいずれかの一端に継ぎ合せる。具体的には、ペンキャップ７００がキャップ体７を有しており、キャップ体７がキャップ口（符号なし）を有する。キャップ体７にはキャップ口の内周縁部に対応する凹部７１が開設されていることが好ましい。
【００１８】
ペンキャップ７００には、被磁気吸引構造８が第１磁気吸引アセンブリ５に対応して設けられており、被磁気吸引構造８はキャップ口より突出させる。具体的には、被磁気吸引構造８は、例えば、凹部７１内に設けられる少なくとも一つの金属プレート（不図示）や、軸方向Ｄに沿って凹部７１内部に設けられる囲繞形金属部材（図３及び図４に示す）とすることができ、そのような囲繞形金属部材をキャップ口より突出させる。
【００１９】
これにより、図４及び図５に示すように、ペンキャップ７００が軸方向Ｄに沿って、ペン本体１００の下端部に継ぎ合わされると、被磁気吸引構造８が第１磁気吸引アセンブリ５によって磁気吸引され、ペンキャップ７００が安定してペン本体１００の下端部に吸着固定されて、抜けにくくなる。
【００２０】
さらに、胴軸１の第１端１０ａ（図４）の軸周りには、軸方向Ｄに沿って第１遮蔽部１１が延在しており、第１遮蔽部１１によって、少なくとも第１磁気吸引アセンブリ５が遮蔽されている。好ましくは、図４に示すようにヘッド部２１の一部を遮蔽し、使用者にはスタイラスペンの外観のみが見え、第１磁気吸引アセンブリ５は見せないようにして、美観効果を達成する。
【００２１】
第２の特長として、第１遮蔽部１１と、第１磁気吸引アセンブリ５との間に、少なくとも第１仕切り空間Ｇ１（図４）を形成する。好ましくは、図４に示すように第１遮蔽部１１と、第１磁気吸引アセンブリ５及びヘッド部２１の一部との間に第１仕切り空間Ｇ１を形成する。さらに、第１仕切り空間Ｇ１の形状と大きさがちょうど被磁気吸引構造８がキャップ口から突出する部分に対応しており、被磁気吸引構造８の突出部分が第１仕切り空間Ｇ１に挿嵌されて、少なくとも一つの磁気吸引部材５１によって吸着される。すなわち、第１遮蔽部１１は被磁気吸引構造８の突出部分の遮蔽効果をも持ち合わせている。
【００２２】
第３の特長として、第１仕切り空間Ｇ１があることによって、ペンキャップ７００の外縁部は胴軸１の外縁部（図１、図２と図５）と面一になるよう構成されている。これによって、胴軸１とペンキャップ７００との間が一体的にな形状となり、高尚な美観性を有するものとなる。
【００２３】
図６ないし図８に示すとおり、本考案のスタイラスペンは、第２の吸着固定態様（すなわち、使用状態）として、ペンキャップ７００をペン本体１００の上端部に継ぎ合わせて使用することにより、使用の際に、ペンキャプ７００を紛失することがない。
【００２４】
本考案のスタイラスペンは、第２磁気吸引アセンブリ６をさらに有していてもよい。第２磁気吸引アセンブリ６の構造は前述の第１磁気吸引アセンブリ５（図６〜８に示す）と同じにすることもできる。つまり、第２磁気吸引アセンブリは少なくとも二つの磁気吸引部材６１を含み、磁気吸引部材６１は囲繞形状の磁石が好ましい。第２磁気吸引アセンブリ６の構造は、前述の第１磁気吸引アセンブリ５に類似していてもよい。例えば、互いに異性吸着する少なくとも二つの磁気吸引部材６１を含むが、第２磁気吸引アセンブリ６の少なくとも二つの磁気吸引部材６１の組み合わせ配列を第１磁気吸引アセンブリ５（図示されない）と異なるものとする。
【００２５】
胴軸１の第２端１０ｂは第２組み立て部１２を有する。具体的には、第２組み立て部１２は同じく胴軸１の第２端１０ｂの軸方向Ｄに沿って突出しており、磁気吸引部材６１が軸方向Ｄに沿って、第２組み立て部１２に装着されている。
【００２６】
これにより、図７及び図８に示すように、ペンキャップ７００が軸方向Ｄに沿って、ペン本体１００の上端部に継ぎ合わされると、被磁気吸引構造８が第２磁気吸引アセンブリの磁気吸引部材６によって磁気吸引され、ペンキャップ７００が安定してペン本体１００の上端部に吸着固定され、抜けにくくなる。このように、使用者はペンキャップ７００をペン本体１００の上端部または下端部に継ぎ合わせることができる。
【００２７】
さらに、胴軸１の第２端１０ｂの軸周りには、軸方向Ｄに沿って、第２遮蔽部１３が延在しており、第２遮蔽部１３によって、少なくとも第２磁気吸引アセンブリ６が遮蔽されている。少なくとも、第２磁気吸引アセンブリ６の外縁部が遮蔽されていることにより、第２磁気吸引アセンブリ６の外縁部を使用者に見せないようにすることができる。
【００２８】
第２の特長として、第２組み立て部１２には、軸方向Ｄに沿って、ソケット体１４が装着され、ソケット体１４の径方向には第３遮蔽部１４１が延在している。このとき、磁気吸引部材６１は、軸方向Ｄに沿って、ソケット体１４に装着され、第３遮蔽部１４１によって、もっとも外側の磁気吸引部材６１が遮蔽される。これにより、もっとも外側の磁気吸引部材６１を使用者に見えないようにする。このように第２遮蔽部１３及び第３遮蔽部１４１それぞれに遮蔽させることによって、美観効果を達成する。
【００２９】
さらに、第２遮蔽部１３は、図７に示すように第３遮蔽部１４１をさらに遮蔽し、第２遮蔽部１３の上縁部が第３遮蔽部１４１に面一になるように構成して、高尚な美観効果を達成する。
【００３０】
第３の特長として、第２遮蔽部１３と、少なくとも第２磁気吸引アセンブリ６との間には第２仕切り空間Ｇ２が形成されている。好ましくは、図７に示すように、第２遮蔽部１３と、第２磁気吸引アセンブリ６及び第３遮蔽部１４１との間に第２仕切り空間Ｇ２を形成する。このとき、被磁気吸引構造８が、選択的に、第１仕切り空間Ｇ１または第２仕切り空間Ｇ２に挿嵌され、それぞれ少なくとも一つの磁気吸引部材５１、あるいは少なくとも一つの磁気吸引部材６１によって吸着される。さらに、第２仕切り空間Ｇ２の形状と大きさは、被磁気吸引構造８がキャップ口から突出する部分に対応している。すなわち、第２遮蔽部１３は被磁気吸引構造８の突出部分の遮蔽効果を持ち合わせている。
【００３１】
第４の特長として、第１仕切り空間Ｇ１及び第２仕切り空間Ｇ２によって、ペンキャップ７００の外縁部は、それぞれ胴軸１の第１端１０ａの外縁部（図５）及び胴軸１の第２端１０ｂの外縁部（図８）と面一になるよう構成される。これにより、ペンキャップ７００は胴軸１の両端において一体的な形状となり、高尚の美観を有する。
【符号の説明】
【００３２】
１００  ペン本体
１      胴軸
１０ａ  第１端
１０ｂ  第２端
１１    第１遮蔽部
１２    第２組み立て部
１３    第２遮蔽部
１４    ソケット体
１４１  第３遮蔽部
２      首軸
２１    ヘッド部
２２    第１組み立て部
２３    挿嵌部
３      ペン芯
３１    タッチ端
３２    ディスク
５      第１磁気吸引アセンブリ
５１    磁気吸引部材
６      第２磁気吸引アセンブリ
６１    磁気吸引部材
７００  ペンキャップ
７      キャップ体
７１    凹部
８      被磁気吸引構造
Ｄ      軸方向
Ｇ１    第１仕切り空間
Ｇ２    第２仕切り空間
【図１】
0003214048.tif 000003
【図２】
0003214048.tif 000004
【図３】
0003214048.tif 000005
【図４】
0003214048.tif 000006
【図５】
0003214048.tif 000007
【図６】
0003214048.tif 000008
【図７】
0003214048.tif 000009
【図８】
0003214048.tif 000010